(57)【特許請求の範囲】
【請求項１】
流入管接続口、流出管接続口、及び点検口が形成されたます本体と、該ます本体の下部に配された雨水溜り部と、を備えた浸透ますであって、
該雨水溜り部には、
該雨水溜り部の透水孔を有しない底部と、
該底部を囲繞し、かつ、透水孔を有しない側壁と、
によって構成された夾雑物溜り部が設けられていると共に、該夾雑物溜り部より上方の側壁には複数の透水孔が設けられており、
該雨水溜り部内に流入した雨水は、夾雑物溜り部に一旦滞留し、該夾雑物溜り部における雨水の水位が該透水孔の高さに達すると該雨水が該透水孔を介して該雨水溜り部の外へ排水され、
前記ます本体の下部には、前記雨水溜り部を囲むように、側面に複数の透水孔を有する有底筒状の浸透部が設けられており、
前記雨水溜り部は、該浸透部内に配置された着脱式の容器であり、
該容器の下端部には前記夾雑物溜り部が設けられていると共に、該容器における該夾雑物溜り部より上方の側壁には複数の前記透水孔が設けられており、
前記流入管接続口から該ます本体内に流入した雨水は、該容器の夾雑物溜り部に一旦滞留し、該容器の該透水孔を介して該容器の外へ排水され、該容器の外へ排水された雨水は、次いで該浸透部に形成された透水孔を介して該浸透部の外へ排水され、そして透水孔の周りに敷設された複数の砕石からなる砕石槽に排水される
ことを特徴とする浸透ます。
【請求項２】
前記ます本体の流出管接続口の開口面積Ｘ、前記雨水溜り部における透水孔の開口面積の和Ｙ、及び、前記浸透部における透水孔の開口面積の和Ｚは、
Ｘ≦Ｙ、Ｘ≦Ｚ
である請求項１に記載の浸透ます。
【請求項３】
請求項１又は請求項２に記載の浸透ますを用いた浸透トレンチシステムであって、
排水設備と、
該排水設備に接続される下流側の浸透ますと、
該下流側の浸透ますに、水平に又は下流側が低位となるように管勾配が形成されて設けられた透水管を介して接続される上流側の浸透ますと、
を備え、
該上流側の浸透ますは、請求項１又は請求項２に記載の浸透ますであり、
該下流側の浸透ますは、該排水設備内の排水が該下流側の浸透ます内に流入することを阻止する逆止弁付きの浸透ますである
ことを特徴とする浸透トレンチシステム。
【請求項４】
請求項１又は請求項２に記載の浸透ますを用いた浸透トレンチシステムであって、
雨水管が接続された浸透ますを複数備え、該浸透ます同士が、水平に又は管勾配が形成されて設けられた透水管を介して連結されており、
該浸透ますは、請求項１又は請求項２に記載の浸透ますである
ことを特徴とする浸透トレンチシステム。
【発明の詳細な説明】
【技術分野】
【０００１】
本発明は、浸透ます、及びこれを用いた浸透トレンチシステムに関するものである。
【背景技術】
【０００２】
浸透トレンチシステムは、地面がアスファルト等の不浸透性のもので覆われた都市部等において、雨水が下水道や河川に集中してしまうことを回避しようとするために提供されている（例えば特許文献１，２参照。）。具体的に、該浸透トレンチシステムの一例としては、複数の浸透ますを備え、該浸透ますが水平に埋設された有孔管やストレーナなどの透水管により連結され、該浸透ます及び該透水管の周囲に、砕石槽が敷設され、さらに、該砕石槽の周囲に透水シートが配設されている。そして、該浸透ます内に雨水が流入すると、該浸透ます及び該透水管に流入した雨水が砕石槽へ浸透し、適切に雨水処理がなされる。
【先行技術文献】
【特許文献】
【０００３】
【特許文献１】実開昭６１−９３５７９号公報
【特許文献２】特開２００６−４６０６３号公報
【発明の概要】
【発明が解決しようとする課題】
【０００４】
しかしながら、上記の浸透トレンチシステムにあっては、砕石槽の目詰まりが起こりやすいという問題があった。さらに詳述すると、フィルタを備えた浸透ますが砕石層内に設けられ、該浸透ますのフィルタが前記透水管の両側にそれぞれ配置されることにより、雨水に含まれている砂泥、落葉、ゴミなどといった夾雑物が該透水管内へ流入してしまうことが防がれている。このため、該透水管を介して砕石層に夾雑物が流出することはなくなるが、該フィルタにより該透水管内への流入を防がれた雨水に含まれる夾雑物は該浸透ます内に落下して該浸透ますの下部に流入し、該浸透ますの下部に設けられた透水孔を介して前記砕石槽へ流出してしまう。このため、特に該浸透ます周囲の砕石槽が該夾雑物によって目詰まりを起こしやすくなっている。このように、砕石槽が目詰まりを起こすと、時間の経過と共にシステム全体の浸透性能が低下してしまい、雨水が下水道や河川に集中しやすくなってしまう。なお、目詰まりした砕石槽から夾雑物を取り除こうとする場合、該砕石槽そのものを掘り起こすこととなるため、莫大な労力、時間、及びコストが必要になる。また、砕石槽の目詰まりを防ぐために、浸透ますを該砕石槽の外側に配置すること、あるいは浸透機能を持たない雨水ますを利用することも考えられるが、前者は砕石槽の外に浸透ますを配置するためのスペースを新たに設けなければならず、後者は浸透スペースとしての砕石槽の空間の一部を非浸透スペースとすることで該砕石槽の浸透量を減じなければならない、という新たな問題が生じる。
【０００５】
そこで、本発明は、雨水に含まれる夾雑物の砕石槽への流出を防いで該砕石槽の目詰まりを防止する浸透ます、及びこれを用いた浸透トレンチシステムを提供することを目的とする。
【課題を解決するための手段】
【０００６】
本発明は、流入管接続口、流出管接続口、及び点検口が形成されたます本体と、該ます本体の下部に配された雨水溜り部と、を備えた浸透ますであって、該雨水溜り部には、
該雨水溜り部の透水孔を有しない底部と、該底部を囲繞し、かつ、透水孔を有しない側壁と、によって構成された夾雑物溜り部が設けられていると共に、該夾雑物溜り部より上方の側壁には複数の透水孔が設けられており、該雨水溜り部内に流入した雨水は、夾雑物溜り部に一旦滞留し、該夾雑物溜り部における雨水の水位が該透水孔の高さに達すると該雨水が該透水孔を介して該雨水溜り部の外へ排水され、前記ます本体の下部には、前記雨水溜り部を囲むように、側面に複数の透水孔を有する有底筒状の浸透部が設けられており、
前記雨水溜り部は、該浸透部内に配置された着脱式の容器であり、該容器の下端部には前記夾雑物溜り部が設けられていると共に、該容器における該夾雑物溜り部より上方の側壁には複数の前記透水孔が設けられており、前記流入管接続口から該ます本体内に流入した雨水は、該容器の夾雑物溜り部に一旦滞留し、該容器の該透水孔を介して該容器の外へ排水され、該容器の外へ排水された雨水は、次いで該浸透部に形成された透水孔を介して該浸透部の外へ排水され、そして透水孔の周りに敷設された複数の砕石からなる砕石槽に排水されることを特徴とする浸透ますである。
【０００７】
かかる構成にあって、夾雑物を含む雨水がます本体内に流入した場合、該夾雑物を含む雨水はまず前記雨水溜り部の夾雑物溜り部に流入する。そして、該夾雑物溜り部に夾雑物を含む雨水が溜ってくると、該雨水中の夾雑物が該夾雑物溜り部に堆積し、該夾雑物溜り部における雨水の上澄みのみが該雨水溜り部の透水孔より該雨水溜り部の外へ排水されることとなる。したがって、雨水に含まれた夾雑物は該雨水溜り部の夾雑物溜り部に残留することとなるため、該夾雑物が該浸透ますから砕石槽に向けて流出することがなく、該砕石槽の目詰まりが抑制される。また、かかる構成の該容器は、上記のように着脱自在であるため、堆積した夾雑物を廃棄する際も、該容器をます本体から抜き出して該容器内の夾雑物を廃棄する、といった非常に簡単な作業で済み、メンテナンス作業が容易である。
【００１１】
また、前記浸透部を備えた構成にあっては、前記ます本体の流出管接続口の開口面積Ｘ、前記雨水溜り部における透水孔の開口面積の和Ｙ、及び、前記浸透部における透水孔の開口面積の和Ｚは、Ｘ≦Ｙ、Ｘ≦Ｚである構成が好ましい。
【００１２】
かかる構成とすることにより、適切に雨水が浸透ます外へ排水される。なお、一般的に、浸透ますなどの雨水ますを含む雨水配管の設計にあっては、該浸透ますが有している流出能力（例えば単位時間当りの流出量の上限）を超えないように、該浸透ますに接続される流入管の流入量が決定される。したがって、前記透水孔の寸法は、該浸透ますの流出能力に基づいて規定すれば、適切に雨水を浸透ます外へ排水することが可能となる。このため、本発明にあっては、ます本体の流出管接続口の開口面積Ｘに基づいて各透水孔の開口面積の和Ｙ，Ｚを規定している。
【００１３】
また、本発明は、上記本発明の浸透ますを用いた浸透トレンチシステムであって、排水設備と、該排水設備に接続される下流側の浸透ますと、該下流側の浸透ますに、水平に又は下流側が低位となるように管勾配が形成されて設けられた透水管を介して接続される上流側の浸透ますと、を備え、該上流側の浸透ますは、上記本発明の浸透ますであり、該下流側の浸透ますは、該排水設備内の排水が該下流側の浸透ます内に流入することを阻止する逆止弁付きの浸透ますであることを特徴とする浸透トレンチシステムである。
【００１４】
かかる構成とすることにより、前記浸透トレンチシステムは、前記浸透ますによって夾雑物を除去してから雨水を砕石槽へ排水することができるものとなる。また、排水設備（例えば雨水本管、側溝あるいは下水管等の排水を処理するための設備）から浸透トレンチシステムへ排水が逆流することを防止しているため、夾雑物を含む水が入り込んで該浸透トレンチシステムの砕石槽が目詰まりしてしまうことも抑止できる。
【００１５】
さらに、本発明は、上記本発明の浸透ますを用いた浸透トレンチシステムであって、雨水管が接続された浸透ますを複数備え、該浸透ます同士が、水平に又は管勾配が形成されて設けられた透水管を介して連結されており、該浸透ますは、上記本発明の浸透ますであることを特徴とする浸透トレンチシステムである。
【００１６】
かかる構成とすることにより、前記浸透トレンチシステムは、雨水管（例えば雨とい、あるいは雨といに接続された雨水流入管を含む管）から流入した雨水を、該浸透ますによって夾雑物を除去した上で砕石槽へ排水することができるものとなる。
【発明の効果】
【００１７】
本発明の浸透ますは、砕石槽の外側に浸透ますを配置するための新たなスペースを設けたり、砕石槽の浸透量を減じたりすることなく、雨水に含まれている夾雑物が該浸透ますから砕石槽へ流出することを防いで、砕石槽の目詰まりを防止することができ、該砕石槽の浸透性能を高い状態で長期間維持することが可能となる。また、本発明の浸透トレンチシステムは、砕石槽の目詰まりを防止しつつ、適切に雨水を浸透処理することができる。
【図面の簡単な説明】
【００１８】
【図１】実施例１にかかる浸透トレンチシステムの概要を示し、（ａ）は平面図、（ｂ）は縦断面図。
【図２】実施例１にかかる浸透ますを示し、（ａ）は平面図、（ｂ）は正面図。
【図３】実施例１にかかる浸透ますを示し、（ａ）は着脱式容器を取り付けた状態を示す縦断面図、（ｂ）は着脱式容器を取り外した状態を示す縦断面図。
【図４】逆止弁付き浸透ますを示し、（ａ）は平面図、（ｂ）は縦断面図。
【図５】実施例２にかかる浸透トレンチシステムの縦断面図。
【図６】参考例にかかる浸透ますを示す縦断面図。
【発明を実施するための形態】
【００１９】
以下、本発明の浸透ます及びこれを用いた浸透トレンチシステムを具体化した実施例を詳細に説明する。なお、本発明は、下記に示す実施例に限定されることはなく、適宜設計変更が可能である。
【００２０】
（実施例１）
図１に示すように、浸透トレンチシステム１Ａは、複数の浸透ます１０，３０と、該浸透ます１０，３０同士を連結する透水管４０とを備えている。また、該浸透ます１０，３０と透水管４０との周りには、複数の砕石からなる砕石槽５０が敷設され、さらに該砕石槽５０の周囲には透水シート５１が配設されている。また、前記浸透ます１０，３０のうち、一方の浸透ます３０は、排水設備としての側溝５に排水管５Ａを介して接続されている。そして、他方の浸透ます１０は、一方の浸透ます３０よりも上流側に配置されている。なお、前記透水管４０は、浸透ます１０，３０間に水平に設けられてもよいが、円滑な排水のために、下流側が低位となるように管勾配が形成されて設けられていることがより好ましい。また、該透水管４０としては、有孔管やストレーナなどの管壁に貫通孔を複数備えたものが好適に用いられる。
【００２１】
以下に、上流側の浸透ます１０について詳述する。
図２，３に示すように、該浸透ます１０は、ます本体１２を備え、該ます本体１２の上端には点検口１３Ａが形成され、該ます本体１２の側部には管接続口１３Ｂが４つ設けられている。そして、該管接続口１３Ｂの１つに浸透トレンチシステム１Ａに備えられた透水管４０が流出管として接続される。また、他の管接続口１３Ｂには、雨水流入管４１が流入管として接続される。
【００２２】
また、該ます本体１２の下部には、図３に示すように、該ます本体１２に対して着脱自在な着脱式容器で構成される雨水溜り部２０が配されている。該雨水溜り部２０の下端部には、該雨水溜り部２０の底部２１Ａと該底部２１Ａを囲繞する所定高さの側壁２１Ｂとによって構成された夾雑物溜り部２２が設けられている。さらに、該雨水溜り部２０における該夾雑物溜り部２２より上方の側壁には複数の透水孔２４が設けられている。また、図２，３に示すように、該ます本体１２の下部には、該雨水溜り部２０を囲むようにして、有底筒状の浸透部１４が設けられている。さらに該浸透部１４の側面には、複数の透水孔１５が設けられている。
【００２３】
また、該雨水溜り部２０の上端部には、取手部２８が設けられており、該取手部２８には、前記透水管４０が接続される管接続口１３Ｂを内側から覆うフィルタ２６が設けられている。そして、図３ｂに示すように、作業者が該取手部２８を把持して引き上げると、該雨水溜り部２０がます本体１２から離脱する。また、逆の操作をすることにより、該雨水溜り部２０がます本体１２に装着される。
【００２４】
また、前記ます本体１２において、流出管としての透水管４０が接続される管接続口１３Ｂの開口面積Ｘと、前記雨水溜り部２０における透水孔２４の開口面積の和Ｙとは、Ｘ≦Ｙの関係が成立するように寸法設定されている。また、該開口面積Ｘと、前記浸透部１４における透水孔１５の開口面積の和Ｚとは、Ｘ≦Ｚの関係が成立するように寸法設定されている。
【００２５】
図４に示すように、下流側の浸透ます３０は、逆止弁機能を有している。該逆止弁付きの浸透ます３０は、ます本体３２を備え、該ます本体３２の上端には、点検口３３Ａが形成され、該ます本体３２の側部には、管接続口３３Ｂが２つ設けられている。そして、一方の該管接続口３３Ｂには側溝５に接続される排水管５Ａが接続され、他方の該管接続口３３Ｂには前記透水管４０が接続されている。また、該ます本体３２の下部３４には複数の浸透孔３５が設けられている。また、該ます本体３２内であって、前記側溝５に繋がる管接続口３３Ｂには、該側溝５から該ます本体３２内に排水が逆流するのを防止する逆止弁３８が配設されている。なお、該逆止弁付きの浸透ます３０は、公知技術のものが好適に用いられる。
【００２６】
これまでに述べた浸透トレンチシステム１Ａにあって、図３に示すように、前記上流側の浸透ます１０のます本体１２内に雨水流入管４１を介して雨水が流入すると、該雨水は、まず雨水溜り部２０に案内され、該雨水溜り部２０の夾雑物溜り部２２に一旦滞留する。このように、雨水が該夾雑物溜り部２２に一時的に蓄えられると、該雨水に含まれる夾雑物Ｐが該夾雑物溜り部２２の底に沈殿して堆積していくこととなる。さらに継続して雨水が該夾雑物溜り部２２に流入し続け、該夾雑物溜り部２２の夾雑物Ｐの堆積と共に水位Ｑが次第に上昇し、該夾雑物溜り部２２における雨水の上澄みが該雨水溜り部２０の透水孔２４の高さに達すると、該雨水の上澄みが該透水孔２４を介して該雨水溜り部２０の外へ排水される。そして、該雨水溜り部２０の外に排水された雨水は、次いで前記浸透部１４の透水孔１５を介して該浸透ます１０の外の砕石槽５０へ排水される。このように、該浸透ます１０においては、雨水に含まれる夾雑物Ｐが夾雑物溜り部２２に残留して堆積し、夾雑物がほとんど含まれない上澄みのみが排水されるため、前記砕石槽５０へは夾雑物が流出しない。このため、該砕石槽５０の目詰まりを防止すべく該砕石槽５０の外側に浸透ますを配置するために新たなスペースを設けたり、浸透機能を持たない雨水ますを用いることにより該砕石槽５０の空間の一部を非浸透スペースとして該砕石槽５０の浸透量を減じたりする必要がない。このように、該浸透ます１０は、該砕石槽５０が目詰まりしてしまうことを抑制するため、該浸透トレンチシステム１Ａ全体の浸透機能が低下しにくい。したがって、該浸透トレンチシステム１Ａは、従来の浸透トレンチシステムに比べてはるかに長期に渡って高い浸透性能を保持できる。なお、雨水溜り部２０の夾雑物溜り部２２に夾雑物Ｐが十分に堆積した場合は、図３ｂに示すように該雨水溜り部２０をます本体１２から取り出して該夾雑物Ｐを廃棄することができる。このように簡易なメンテナンス作業を行うだけで、該浸透トレンチシステム１Ａの性能を安定して維持することができる。
【００２７】
また、上記のように、前記透水管４０が接続される管接続口１３Ｂの開口面積Ｘと、前記雨水溜り部２０における透水孔２４の開口面積の和Ｙと、前記浸透部１４における透水孔１５の開口面積の和Ｚとは、Ｘ≦Ｙ、Ｘ≦Ｚの関係が成立するようにそれぞれ寸法設定されているため、適切に雨水がます本体１２の外へ排水される。
【００２８】
また、下流側に配置された浸透ます３０においては、該浸透ます３０内に雨水が流入すると、該雨水は側溝５へ向けて排水される。ここで、該浸透ます３０内には、逆止弁３８が取り付けられているため、ゲリラ豪雨などにより雨水が急激に増水した場合であっても側溝５から浸透トレンチシステム１Ａへ向かって排水が逆流してしまうことがない。したがって逆流した排水に含まれる夾雑物等によって浸透トレンチシステム１Ａの砕石槽５０が目詰まりをすることが抑制されている。
【００２９】
なお、上記雨水溜り部２０における夾雑物溜り部２２の高さＨ（図３ａ参照）は、雨水溜り部２０の内底より１５０ｍｍ以上の範囲に設定されることが好ましい。かかる構成とすることで、好適に夾雑物Ｐを沈殿させ、雨水の上澄みのみを該雨水溜り部２０から排出することが可能となる。
【００３０】
また、上記実施例では排水設備として側溝５を例に挙げて説明したが、これに代えて、例えば雨水本管、あるいは下水管等の排水を処理するための設備であってもよい。
【００３１】
（実施例２）
以下、実施例２にかかる浸透トレンチシステム１Ｂを図５に従って説明する。なお、実施例１と共通する構成については、説明を簡略または省略する。
【００３２】
図５に示す浸透トレンチシステム１Ｂは、雨水管としての雨とい４２が接続された浸透ます１０，１０を２つ備え、該浸透ます１０，１０同士が透水管４０を介して連結されている。該浸透ます１０，１０は、共に、上記した雨水溜り部２０を備えた構成の浸透ます１０が用いられる。なお、該透水管４０は、水平に設けられていてもよいし、適宜管勾配が形成されて設けられていてもよい。
【００３３】
かかる構成にあっては、雨とい４２を介して該浸透ます１０内に雨水が流入すると、該雨水に含まれる夾雑物が、前記雨水溜り部２０の夾雑物溜り部２２に堆積し、夾雑物が除かれた雨水の上澄みが砕石槽５０へ浸透する。このため、雨とい４２から流入する雨水を、夾雑物を除去した上で砕石槽５０へ排水することができる。
【００３４】
なお、図５に示す構成は、浸透ます１０に雨水管としての雨とい４２が直結されている構成であるが、該浸透ます１０に、雨とい４２に接続されている雨水管としての雨水流入管が接続されている構成であっても勿論よい。
【００３５】
（参考例）
以下、参考例にかかる浸透ます６０を図６に従って説明する。なお、実施例１，２と共通する構成については、説明を簡略または省略する。
【００３６】
図６に示す浸透ます６０は、ます本体１２の下部に、有底筒状の雨水溜り部６４が設けられている。さらに詳述すると、該雨水溜り部６４の下端部には、該雨水溜り部６４の底部６４Ａと該底部６４Ａを囲繞する所定高さの側壁６４Ｂとによって構成された夾雑物溜り部２２が設けられている。さらに、該雨水溜り部６４における該夾雑物溜り部２２より上方の側壁には複数の透水孔２４が設けられている。
【００３７】
かかる構成にあって、流入管接続口１３Ｂから該雨水溜り部６４内に流入した雨水は、該雨水溜り部６４の夾雑物溜り部２２に一旦滞留し、該夾雑物溜り部２２における雨水の上澄みが該雨水溜り部６４の該透水孔２４を介して該浸透ます６０の外へ排水される。
【００３８】
なお、該雨水溜り部６４における夾雑物溜り部２２の高さＨ（図６参照）は、該雨水溜り部６４の内底より１５０ｍｍ以上の範囲に設定されることが好ましい。かかる構成とすることで、好適に夾雑物Ｐを夾雑物溜り部２２に沈殿させ、雨水の上澄みのみを該雨水溜り部６４から排出することが可能となる。
【００３９】
また、前記ます本体１２における流出管としての透水管４０が接続された管接続口１３Ｂの開口面積Ｘ、及び該雨水溜り部６４における透水孔２４の開口面積の和Ｙは、Ｘ≦Ｙである構成が好ましい。かかる構成とすることで、円滑に雨水を浸透ます６０の外へ排水することができる。
【００４０】
これまでに述べた実施例１〜参考例にかかる浸透ます１０，３０，６０は、製造、加工が容易な樹脂製のものが好ましく、例えば硬質塩化ビニル樹脂製のものが強度も高く、特に好ましい。また、該浸透ます１０，６０の雨水溜り部２０，６４における透水孔２４の形状、あるいは該浸透ます１０の浸透部１４における透水孔１５の形状は、丸孔状でも縦長のスリット状でもよく、適宜変更可能である。
【符号の説明】
【００４１】
１Ａ，１Ｂ  浸透トレンチシステム
５          側溝（排水設備）
１０，６０  浸透ます
１２        ます本体
１３Ａ      点検口
１３Ｂ      管接続口（流入管接続口、流出管接続口）
１４        浸透部
１５        透水孔
２０        雨水溜り部（着脱式容器）
２１Ａ      底部
２１Ｂ      側壁
２２        夾雑物溜り部
２４        透水孔
３０        逆止弁付きの浸透ます
４０        透水管
４２        雨とい（雨水管）
６４        雨水溜り部
６４Ａ      底部
６４Ｂ      側壁
【図１】
0005774396.tif 000002
【図２】
0005774396.tif 000003
【図３】
0005774396.tif 000004
【図４】
0005774396.tif 000005
【図５】
0005774396.tif 000006
【図６】
0005774396.tif 000007